(57)【要約】【課題】  ＶＯＲ装置から放射される電波をモニタするＶＯＲモニタアンテナを鳥害から防止する複数の線棒の強度が強く、カラス等の大きな鳥が引掛かり暴れた場合でも容易に切れず、経年変化による耐久性を持たせた鳥害防止装置を提供することを技術的課題とする。【解決手段】  ＶＯＲ装置から放射される電波をモニタするＶＯＲモニタアンテナと、このアンテナ周囲を鳥害から防止する複数の線棒からなり、これら線棒をグラスファイバーで構成した。【選択図】図１
0003130943.tif 000002
【実用新案登録請求の範囲】
【請求項１】
ＶＯＲ装置から放射される電波をモニタするＶＯＲモニタアンテナと、このアンテナ周囲を鳥害から防止する複数の線棒からなり、これら線棒をグラスファイバーで構成したＶＯＲモニタ空中線用鳥害防止用装置。
【請求項２】
前記グラスファイバー製線棒の０．００２〜３ｋｇの負荷で揺動可能で、アンテナ支柱の先端近傍からアンテナ外周へかけて放射状に垂下した線棒の下部を遊び状とし、アンテナ支柱の先端近傍と線棒の最下端の中間を各々固定してこれら固定部を中心に各線棒下方を揺動可能に構成するようにしたＶＯＲモニタ空中線用鳥害防止用装置。
【請求項３】
前記アンテナを平面から見て支柱に対しＴ字形若しくは十字型に取り付け、これらアンテナの外周にグラスファイバー製線棒を円垂状若しくは角錐状に放射状に垂下するようにしたＶＯＲモニタ空中線用鳥害防止用装置。
【請求項４】
前記各線棒はアンテナ支柱の先端近傍からアンテナ外周へかけて放射状に垂下し、アンテナ外周部で各線棒の間隔幅が１０〜１６ｃｍで、アンテナ支柱の先端近傍で放射状に設けた各線棒同士の角度が３〜８度で、且つアンテナ支柱と各線棒との角度が３０〜４５度であるＶＯＲモニタ空中線用鳥害防止用装置。
【考案の詳細な説明】
【考案の詳細な説明】
【技術分野】
【０００１】  本考案はＶＯＲ（超短波全方向式無線標識施設）モニタ空中線用鳥害防止装置に関するものである。
【背景技術】
【０００２】  例えば特開２０００−３２５０１０公報にはローカライザ装置の空中線から放射される電波をモニタするアンテナの支柱１の上部を覆って取付けられるカバー２と、このカバー２の上面に垂直に取付けられ先端が円錐形ポール３と、支柱１の上部に取付けられる一対の放射部４、５と、この放射部４、５の端部を覆って取付られるカバー６，７と、このカバー６，７に取付けられる複数のポール８、９と、ポール３の上部とポール８，９との間を結ぶ複数の糸線１０とを有してなる鳥害防止機能付アンテナ装置が記載されている。【０００３】  しかしながら、この発明においては、ポール３の上部とポール８，９との間を結ぶ複数の糸線１０がフロカーボン製の１０ポンドライン（公報３ページ左欄［００１３］ご参照）、すなわち釣り糸に使用されるテグスであり、強度が弱いためカラス等の大きな鳥が引掛かり暴れた場合にすぐに切れてしまう。また、経年変化による耐久性に劣っていた。
【考案が解決しようとする課題】
【０００４】  本考案は、上記糸線の強度が強く、カラス等の大きな鳥が引掛かり暴れた場合でも容易に切れず、経年変化による耐久性に優れた鳥害防止装置を提供することを技術的課題とする。
【課題を解決する手段】
【０００５】  請求項１の考案はＶＯＲ装置から放射される電波をモニタするアンテナと、このアンテナ周囲を鳥害から防止する複数の線棒からなり、これら線棒をグラスファイバーで構成した鳥害防止装置を提供するものである。
【０００６】  この考案においてはモニタ空中線上に鳥類が飛来し、モニタ空中線に止まることにより、電波の異常と錯覚しモニタが異常警報を発することを防止することが出来る。
【０００７】  請求項２の考案は前記グラスファイバー製線棒の０．００２〜３ｋｇの負荷で揺動可能で、アンテナ支柱の先端近傍からアンテナ外周へかけて放射状に垂下した線棒の下部を遊び状とし、アンテナ支柱の先端近傍と線棒の最下端の中間を各々固定してこれら固定部を中心に各線棒下方を揺動可能に構成するようにした鳥害防止装置を提供するものである。
【０００８】  この考案においては、グラスファイバー製線棒の０．００２〜３ｋｇの負荷で揺動可能としたので、グラスファイバーの揺れにより鳥のアンテナへの飛来を阻止することが出来る。
【０００９】  請求項３の考案は前記アンテナを平面から見て支柱に対しＴ字形若しくは十字型に取り付け、これらアンテナの外周にグラスファイバー製線棒を円垂状若しくは角錐状に放射状に垂下するようにした鳥害防止装置を提供するものである。
【００１０】  この考案においてはアンテナの全周囲からの鳥の侵入を阻止することが出来る。
【００１１】請求項４の考案は前記各線棒がアンテナ支柱の先端近傍からアンテナ外周へかけて放射状に垂下し、アンテナ外周部で各線棒の間隔幅が１０〜１６ｃｍで、アンテナ支柱の先端近傍で放射状に設けた各線棒同士の角度が３〜８度で、且つアンテナ支柱と各線棒との角度が３０〜４５度であるＶＯＲモニタ空中線用鳥害防止用装置を提供するものである。
【００１２】  この考案においては、アンテナ外周部で各線棒の間隔幅、アンテナ支柱の先端近傍で放射状に設けた各線棒同士の角度、且つアンテナ支柱と各線棒との角度が上記範囲以内で効果的に鳥の侵入を防止することが出来る。
【考案を実施するための最良の形態】
【００１３】  以下に本考案の一実施形態を図面に基づき説明する。図１、２に示す如く、ＶＯＲ装置から放射される電波をモニタするＶＯＲモニタアンテナ１・・と、このアンテナ１・・周囲を鳥害から防止する複数の線棒２・・・からなり、これら線棒をグラスファイバーで構成している。【００１４】前記グラスファイバー製線棒２・・・は０．５ｋｇの負荷で揺動可能であり、直径２〜４ｍｍのものを使用している。又、アンテナ支柱３の先端近傍からアンテナ１・・外周へかけて放射状に垂下した線棒２・・・の下部２ａ・・・を遊び状とし、アンテナ支柱３の先端近傍と線棒２・・・の下端の中間を各々固定してこれら固定部２ｂ・・・を中心に各線棒２・・・下方を揺動可能に構成するようにしている。【００１５】図１に示す如く、前記アンテナ１・・を平面から見て支柱３・・に対しＴ字形に取り付け、これらアンテナ１・・の外周にグラスファイバー製線棒２・・・を四角錐状に放射状に垂下するようにしている。【００１６】図１、３に示す如く、前記各線棒２・・・はアンテナ支柱３の先端近傍からアンテナ外周へかけて放射状に垂下し、アンテナ外周部で各線棒の間隔幅Ｌが１２〜１３ｃｍで、アンテナ支柱３の先端近傍で放射状に設けた各線棒２・・・同士の角度Ａ１が４〜６度で、且つアンテナ支柱３と各線棒２・・・との角度Ａ２が３５〜４０度としている。
【考案の効果】
【００１７】  上記の如く本考案においては、モニタ空中線上に鳥類が飛来し、モニタ空中線に止まることにより、電波の異常と錯覚しモニタが異常警報を発することを防止することができ、グラスファイバー製線棒の０．００２〜３ｋｇの負荷で揺動可能としたので、グラスファイバーの揺れにより鳥のアンテナへの飛来を阻止することができ、アンテナの全周囲からの鳥の侵入を阻止することが出来る。又、アンテナ外周部で各線棒の間隔幅、アンテナ支柱の先端近傍で放射状に設けた各線棒同士の角度、且つアンテナ支柱と各線棒との角度が上記範囲以内で効果的に鳥の侵入を防止することが出来る。
【図面の簡単な説明】
【００１８】
【図１】ＶＯＲ空中線用鳥害防止措置の正面図
【図２】グラスファイバー製線棒
【図３】鳥害防止措置の要部側面図
【符号の説明】
１・・        ＶＯＲモニタアンテナ
２・・・      グラスファイバー製線棒
２ａ・・・    線棒下部
２ｂ・・・    線棒の固定部
３            アンテナ支柱
Ｌ            アンテナ外周部での各線棒の間隔幅
Ａ１          線棒同士の角度
Ａ２          アンテナ支柱と線棒との角度
【図１】
0003130943.tif 000003
【図２】
0003130943.tif 000004
【図３】
0003130943.tif 000005
【手続補正書】
【提出日】平成18年9月25日(2006.9.25)
【手続補正１】
【補正対象書類名】実用新案登録請求の範囲
【補正対象項目名】全文
【補正方法】変更
【補正の内容】
【実用新案登録請求の範囲】
【請求項１】
ＶＯＲ装置から放射される電波をモニタするＶＯＲモニタアンテナと、このアンテナ周囲を鳥害から防止する複数の線棒からなり、これら線棒をグラスファイバーで構成したＶＯＲモニタ空中線用鳥害防止用装置。
【請求項２】
前記グラスファイバー製線棒は０．００２〜３ｋｇの負荷で揺動可能で、アンテナ支柱の先端近傍からＶＯＲモニタアンテナ外周へかけて放射状に垂下した線棒の下部を遊び状とし、アンテナ支柱の先端近傍と線棒の最下端の中間を各々固定してこれら固定部を中心に各線棒下方を揺動可能に構成するようにしたＶＯＲモニタ空中線用鳥害防止用装置。
【請求項３】
前記ＶＯＲモニタアンテナは平面から見て十字型若しくはＴ字形にして支柱へ取り付け、これらＶＯＲモニタアンテナの外周にグラスファイバー製線棒を円垂状若しくは角錐状に放射状に垂下するようにしたＶＯＲモニタ空中線用鳥害防止用装置。
【請求項４】
前記各線棒はアンテナ支柱の先端近傍からＶＯＲモニタアンテナ外周へかけて放射状に垂下し、ＶＯＲモニタアンテナ外周部で各線棒の間隔幅が１０〜１６ｃｍで、アンテナ支柱の先端近傍で放射状に設けた各線棒同士の角度が３〜８度で、且つアンテナ支柱と各線棒との角度が３０〜４５度であるＶＯＲモニタ空中線用鳥害防止用装置。
【手続補正書】
【提出日】平成19年1月21日(2007.1.21)
【手続補正１】
【補正対象書類名】実用新案登録請求の範囲
【補正対象項目名】全文
【補正方法】変更
【補正の内容】
【実用新案登録請求の範囲】
【請求項１】
ＶＯＲ装置から放射される電波をモニタするＶＯＲモニタアンテナと、このアンテナ周囲を鳥害から防止する複数の線棒からなり、これら線棒をグラスファイバーで構成したＶＯＲモニタ空中線用鳥害防止用装置。
【請求項２】
前記グラスファイバー製線棒は０．００２〜３ｋｇの負荷で揺動可能で、アンテナ支柱の先端近傍からＶＯＲモニタアンテナ外周へかけて放射状に垂下した線棒の下部を遊び状とし、アンテナ支柱の先端近傍と線棒の最下端の中間を各々固定してこれら固定部を中心に各線棒下方を揺動可能に構成するようにした請求項１記載のＶＯＲモニタ空中線用鳥害防止用装置。
【請求項３】
前記ＶＯＲモニタアンテナは平面から見て十字型若しくはＴ字形にして支柱へ取り付け、これらＶＯＲモニタアンテナの外周にグラスファイバー製線棒を円垂状若しくは角錐状に放射状に垂下するようにした請求項１及び２記載のＶＯＲモニタ空中線用鳥害防止用装置。
【請求項４】
前記各線棒はアンテナ支柱の先端近傍からＶＯＲモニタアンテナ外周へかけて放射状に垂下し、ＶＯＲモニタアンテナ外周部で各線棒の間隔幅が１０〜１６ｃｍで、アンテナ支柱の先端近傍で放射状に設けた各線棒同士の角度が３〜８度で、且つアンテナ支柱と各線棒との角度が３０〜４５度である請求項１乃至３記載のＶＯＲモニタ空中線用鳥害防止用装置。